【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
撮像装置と接続が可能な情報処理装置であって、
撮像装置の識別子を記憶する記憶手段と、
撮像装置が接続された場合、接続された撮像装置を識別する識別子と、前記接続された撮像装置から送信された画像データとを受信する受信手段と、
前記受信手段により受信した画像データを記憶する画像記憶手段と、
前記受信手段により受信した識別子が既に前記記憶手段に記憶されているかどうかにより、前記接続された撮像装置が前記情報処理装置に登録されているかどうかを判別する判別手段と、
前記判別手段により前記接続された撮像装置が前記情報処理装置に登録されていないと判別され、かつ、前記接続された撮像装置との接続が解除された場合、前記受信手段により当該接続された撮像装置から受信した画像データを削除する削除手段と、
を有することを特徴とする情報処理装置。
【請求項２】
前記判別手段により前記接続された撮像装置が前記情報処理装置に登録されていないと判別された場合、前記接続された撮像装置の識別子を前記記憶手段に記憶することで、前記接続された撮像装置の識別子を登録する登録手段を更に有することを特徴とする請求項１に記載の情報処理装置。
【請求項３】
前記登録手段は、
前記接続された撮像装置を前記記憶手段に登録するかどうかをユーザに問い合わせる画面を表示する表示手段を有し、
前記表示手段に表示された前記画面を介して、ユーザより前記接続された撮像装置を登録する指示を受け付けた場合、前記接続された撮像装置の識別子を登録することを特徴とする請求項２に記載の情報処理装置。
【請求項４】
撮像装置と、撮像装置と接続が可能な情報処理装置とを具備する情報処理システムであって、
前記撮像装置は、
被写体を撮像し、画像データを得る撮像手段と、
前記撮像手段により得られた画像データを記憶媒体に記憶する手段と、
前記情報処理装置と接続した場合に、前記撮像装置を識別する識別子と前記記憶媒体に記憶された画像データとを接続された情報処理装置に送信する送信手段とを有し、
前記情報処理装置は、
撮像装置の識別子を記憶する記憶手段と、
撮像装置が接続された場合、接続された撮像装置を識別する識別子と、前記接続された撮像装置から送信された画像データとを受信する受信手段と、
前記受信手段により受信した画像データを記憶する画像記憶手段と、
前記受信手段により受信した識別子が前記記憶手段に既に記憶されているかどうかにより、前記接続された撮像装置が前記情報処理装置に登録されているかどうかを判別する判別手段と、
前記判別手段により前記接続された撮像装置が前記情報処理装置に登録されていないと判別され、かつ、前記接続された撮像装置との接続が解除された場合、前記受信手段により当該接続された撮像装置から受信した画像データを削除する削除手段とを有することを特徴とする情報処理システム。
【請求項５】
撮像装置と接続が可能な情報処理装置のデータ処理方法であって、
受信手段が、撮像装置が接続された場合、接続された撮像装置を識別する識別子と、前記接続された撮像装置から送信された画像データとを受信する受信工程と、
画像記憶手段が、前記受信工程で受信した画像データを記憶手段に記憶する画像記憶工程と、
判別手段が、前記受信工程で受信した識別子が、前記記憶手段に記憶されているかどうかにより、前記接続された撮像装置が前記情報処理装置に登録されているかどうかを判別する判別工程と、
削除手段が、前記判別工程で、前記接続された撮像装置が前記情報処理装置に登録されていないと判別され、かつ、前記接続された撮像装置との接続が解除された場合、前記受信工程で当該接続された撮像装置から受信した画像データを削除する削除工程と、
を有することを特徴とする情報処理装置のデータ処理方法。
【請求項６】
コンピュータに、
撮像装置が接続された場合、接続された撮像装置を識別する識別子と、前記接続された撮像装置から送信された画像データとを受信する受信工程と、
前記受信工程で受信した画像データを記憶手段に記憶する画像記憶工程と、
前記受信工程で受信した識別子が既に前記記憶手段に記憶されているかどうかにより、前記接続された撮像装置が情報処理装置に登録されているかどうかを判別する判別工程と、
前記判別工程で、前記接続された撮像装置が前記情報処理装置に登録されていないと判別され、かつ、前記接続された撮像装置との接続が解除された場合、前記受信工程で当該接続された撮像装置から受信した画像データを削除する削除工程と、
を有する、撮像装置と接続が可能な情報処理装置の制御方法を実行させるためのプログラム。
【請求項７】
登録手段が、前記判別工程で前記接続された撮像装置が前記情報処理装置に登録されていないと判別された場合、前記接続された撮像装置の識別子を前記記憶手段に記憶することで、前記接続された撮像装置の識別子を登録する登録工程を更に有する情報処理装置の制御方法を、コンピュータに実行させることを特徴とする請求項６に記載のプログラム。
【請求項８】
前記登録工程で、
前記接続された撮像装置を前記記憶手段に登録するかどうかをユーザに問い合わせる画面を表示する表示工程を有し、
前記表示工程で表示された前記画面を介して、ユーザから前記接続された撮像装置を登録する指示を受け付けた場合、前記接続された撮像装置の識別子を登録する情報処理装置の制御方法を、コンピュータに実行させることを特徴とする請求項７に記載のプログラム。
【請求項９】
請求項６乃至８のいずれか１項に記載のプログラムを格納した、コンピュータにより読み取り可能な記憶媒体。
【手続補正２】
【補正対象書類名】明細書
【補正対象項目名】０００７
【補正方法】変更
【補正の内容】
【０００７】
上記目的を達成するために本発明の一態様に係る情報処理装置は以下のような構成を備える。即ち、
撮像装置と接続が可能な情報処理装置であって、
撮像装置の識別子を記憶する記憶手段と、
撮像装置が接続された場合、接続された撮像装置を識別する識別子と、前記接続された撮像装置から送信された画像データとを受信する受信手段と、
前記受信手段により受信した画像データを記憶する画像記憶手段と、
前記受信手段により受信した識別子が既に前記記憶手段に記憶されているかどうかにより、前記接続された撮像装置が前記情報処理装置に登録されているかどうかを判別する判別手段と、
前記判別手段により前記接続された撮像装置が前記情報処理装置に登録されていないと判別され、かつ、前記接続された撮像装置との接続が解除された場合、前記受信手段により当該接続された撮像装置から受信した画像データを削除する削除手段と、を有することを特徴とする。
【手続補正３】
【補正対象書類名】明細書
【補正対象項目名】０００８
【補正方法】変更
【補正の内容】
【０００８】
上記目的を達成するために本発明の一態様に係る情報処理システムは以下のような構成を備える。即ち、
撮像装置と、撮像装置と接続が可能な情報処理装置とを具備する情報処理システムであって、
前記撮像装置は、
被写体を撮像し、画像データを得る撮像手段と、
前記撮像手段により得られた画像データを記憶媒体に記憶する手段と、
前記情報処理装置と接続した場合に、前記撮像装置を識別する識別子と前記記憶媒体に記憶された画像データとを接続された情報処理装置に送信する送信手段とを有し、
前記情報処理装置は、
撮像装置の識別子を記憶する記憶手段と、
撮像装置が接続された場合、接続された撮像装置を識別する識別子と、前記接続された撮像装置から送信された画像データとを受信する受信手段と、
前記受信手段により受信した画像データを記憶する画像記憶手段と、
前記受信手段により受信した識別子が前記記憶手段に既に記憶されているかどうかにより、前記接続された撮像装置が前記情報処理装置に登録されているかどうかを判別する判別手段と、
前記判別手段により前記接続された撮像装置が前記情報処理装置に登録されていないと判別され、かつ、前記接続された撮像装置との接続が解除された場合、前記受信手段により当該接続された撮像装置から受信した画像データを削除する削除手段とを有することを特徴とする。
【手続補正４】
【補正対象書類名】明細書
【補正対象項目名】０００９
【補正方法】変更
【補正の内容】
【０００９】
上記目的を達成するために本発明の一態様に係る情報処理装置のデータ処理方法は以下のような工程を備える。即ち、
撮像装置と接続が可能な情報処理装置のデータ処理方法であって、
受信手段が、撮像装置が接続された場合、接続された撮像装置を識別する識別子と、前記接続された撮像装置から送信された画像データとを受信する受信工程と、
画像記憶手段が、前記受信工程で受信した画像データを記憶手段に記憶する画像記憶工程と、
判別手段が、前記受信工程で受信した識別子が、前記記憶手段に記憶されているかどうかにより、前記接続された撮像装置が前記情報処理装置に登録されているかどうかを判別する判別工程と、
削除手段が、前記判別工程で、前記接続された撮像装置が前記情報処理装置に登録されていないと判別され、かつ、前記接続された撮像装置との接続が解除された場合、前記受信工程で当該接続された撮像装置から受信した画像データを削除する削除工程と、
を有することを特徴とする。